(57)【要約】      （修正有）【課題】ピット蓋の下部に補強材を垂設配置する事なく、しかもピット自体の有効スペースを浅くすることなく、ピット蓋の開閉時に配線・配管ピット内の配線や配管を損傷することなくその安全を確保し、更にピット蓋自体の軽量化と堅牢構造化を有利に可能にした配線・配管ピット構造を提供する。【解決手段】床Ｆに設けた配線・配管ピット１００内に配線し、その配線・配管ピット１００の上方部に段付き開口部１０１を形成し、段付き開口部にピツト蓋２００を着脱開閉可能に設けた配線・配管ピット構造において、ピツト蓋は段付き開口部の段付き部に上方部から着脱可能にして嵌る金属製矩形枠２０１ａを有し、金属製矩形枠内に波プレート２０２を配置し、波プレートの上面に床仕上げ層を配置する。【選択図】図１
0003219873.tif 000002
【実用新案登録請求の範囲】
【請求項１】
床下に設けた配線・配管ピット内に配線し、その配線・配管ピットの上方部に段付き開口部を形成し、前記段付き開口部にピット蓋を着脱開閉可能に設けた配線・配管ピット構造において、前記ピット蓋は前記段付き開口部の段付き部に上方部から着脱可能にして嵌るもので断面コ型又は断面Ｌ型の金属製矩形枠を有し、前記金属製矩形枠内にその長手方向に波の頂部及び谷部が交互に位置する波プレートを配置し、前記波プレートの上面に床仕上げ層を配置したことを特徴とする配線・配管ピット構造。
【考案の詳細な説明】
【技術分野】
【０００１】  本考案は、床下等に通信ケーブル、電力線、各種配管などを配線し、配線の高さや容量及び耐荷重の問題の無い配線空間を安全簡易な施工で可能にし、しかも製造コストを大幅に低減できる配線・配管ピット構造に関する。
【背景技術】
【０００２】  配線・配管ピットはオフイスの床面に用いられることが多く、その施工はピット内配線や配管を損傷することの無いコンパクトなピットにしかもピット蓋を軽量堅牢な構造にすることが強く要求される。【０００３】  ところが、従来の配線・配管ピット構造は、図４にて紹介のように、床Ｆ等に設けた配線・配管ピット１００内に配線や配管をし、その配線・配管ピット１００の上方部に段付き開口部１０１を形成し、前記段付き開口部１０１にピツト蓋００２を着脱開閉可能に設けたものであり、前記ピツト蓋００２は前記段付き開口部１０１の段付き部に上方部から着脱可能にして嵌る断面Ｌ型の金属製矩形枠００３を有し、前記金属製枠００３内に亜鉛メッキした厚平板００４を配置し、前記亜鉛メッキした厚平板００４の下面に補強リブ００５を垂設すると共に上面にスタッド００６を介してモルタル００７を所定厚充填した重量体であり、前記モルタル層００７の上に床面化粧板と同様の床仕上げ化粧材００８を配置したものであった。
【考案の概要】
【考案が解決しようとする課題】
【０００５】  前記従来の配線・配管ピット構造は、ピツト蓋が補強リブ付きの重量体のため取り扱いに多大な労力と時間を必要とする煩雑なものであり、しかもそのリブ高さ分、配線・配管ピット自体を深く形成しなければならない。またピツト蓋の開閉の都度、補強リブによるピット内配線の損傷が懸念される。【０００６】  本考案は、ピット蓋の下部に補強材を垂設配置する事なく、しかもピット自体の有効スペースを浅くすることなく、ピット蓋の開閉時に配線・配管ピット内の配線及び／又は配管を損傷することなくその安全を確保し、更にピット蓋自体の大幅な軽量化と堅牢構造化を有利に可能にした配線・配管ピット構造を提供する。
【課題を解決するための手段】
【０００７】  本考案は前記の課題を満足するものでありその技術的特徴は次の（１）の通りである。
（１）、床下に設けた配線・配管ピット内に配線し、その配線・配管ピットの上方部に段付き開口部を形成し、前記段付き開口部にピツト蓋を着脱開閉可能に設けた配線・配管ピット構造において、前記ピツト蓋は前記段付き開口部の段付き部に上方部から着脱可能にして嵌るもので断面コ型又は断面Ｌ型の金属製矩形枠を有し、前記金属製矩形枠内にその長手方向に波の頂部及び谷部が交互に位置する波プレートを配置し、前記波プレートの上面に床仕上げ層を配置したことを特徴とする配線・配管ピット構造。
本考案において波プレートとは、金属製又は高強度樹脂製で山部及び谷部を規則的に交互に波成形した薄プレートであり、波形状は図３の（１）と（４）に示す台形カーブ型波プレート２０２−１、図３の（２）に示す半円弧型波プレート２０２−２、図１の（３）に示すキャタピラー型波プレート２０２−３などがあげられる。さらに単なる円弧型波プレート、パルス波形型プレート、Ω波型プレート、三角波型波プレート等の他にこれらの波プレートに類似の波プレートは全て適用することが可能である。
本考案において前記床仕上げ層とは、薄金属板の上に樹脂タイル又は樹脂シートを貼った層、又は波プレート上面にモルタル層を充填しその表面に樹脂タイル又は樹脂シートを貼り付けた層を言う。【０００８】＜本考案の構成の主な特徴と作用効果の要約＞
ピット蓋自体に波プレートを用いるため波プレート上面へのモルタル充填料を不要にし又は僅少にして大幅な軽量化を可能にすると共に堅牢構造化を有利に可能にしてその取扱いを極めて簡易なものにしてピット蓋施工の高効率化を実現した。
因みに軽量化は従来の前記したピツト蓋に比し５分の１程度にすることが可能になり圧縮強度も大幅に向上させることが可能になった。
更にピット蓋の下部に補強材を垂設配置する事が無い為、ピット自体の有効スペースを浅くすることが可能なると共に、ピット蓋の開閉時に配線・配管ピット内の配線や配管を損傷する事が無くその安全を確保する。【０００９】
【図面の簡単な説明】
【００１０】
【図１】本考案の配線・配管ピット構造の実施例を示す、横断面説明図（１）と（１）の矢視Ａ−Ａから見た縦断面説明図（２）である。
【図２】ピツト蓋２００の断面コ型の金属製矩形枠２０１内に波プレート２０２を配置した主要部を汎用製品に製作した斜視簡略図である。
【図３】本考案のピツト蓋の各種例を示す横断面説明図である。
【図４】従来の配線・配管ピット構造の一例を示す、横断面説明図である。
【考案を実施するための形態】
【００１１】  考案を実施するための形態を次に記載の実施例により詳細に説明する。
【実施例】
【００１２】  本考案の実施例の基本的な構成を図１の（１）と（２）に示す。
本例の配線・配管ピット構造は、図１の（１）と（２）において、床Ｆの下に設けた配線・配管ピット１００と、同配線・配管ピット１００の上方部を開閉するピツト蓋２００とからなる。【００１３】  前記配線・配管ピット１００は、ピツト内に配線又は配管し、上方部に段付き開口部１０１を形成し、前記段付き開口部１０１にステンレス製の枠体１０２を配置し、その上方から前記ピツト蓋２００を着脱開閉可能に設ける。【００１４】  前記ピツト蓋２００は、前記段付き開口部１０１の枠体１０２に上方部から着脱可能にして嵌る断面Ｌ型の金属製矩形枠（ステンレス製）２０１ａを有し、前記金属製矩形枠２０１ａ内に波プレート２０２をその幅方向端部を金属製矩形枠２０１ａの縁にスポット溶接で接合配置し、前記波プレート２０２の上面に床仕上げ層として所定厚のモルタル充填層２０３を形成し、前記モルタル充填層２０３の上に、床面に合う樹脂タイル又は樹脂シート２０４を貼り配置したものである。【００１５】  本例の配線・配管ピット構造は、前述したように、ピット蓋２００自体に波プレート２０２を用いているため軽量でありながら圧縮強度が強大であり波プレート２０２上面へのモルタル充填層２０３を僅少にして又は皆無にして軽量化を可能にすると共に堅牢構造化を有利に可能にしたものである。更に波プレート２０２を配設したピット蓋２００により、その下部に補強材を垂設配置する事が無い為、ピット自体の有効スペースを浅くすることを可能にすると共に、ピット蓋２００の開閉時に配線・配管ピット１００内の配線や配管を損傷する事無くその安全性を確保したものである。【００１６】  図２に示す例は、ピツト蓋２００の断面コ型の金属製矩形枠２０１内に波プレート２０２を配置した主要部を汎用製品に製作した斜視簡略図である。【００１７】  図３の（１）に示すピツト蓋２００−２は、断面コ型の金属製矩形枠２０１内に半円弧型の波プレート２０２−１を配置し、この半円弧型の波プレート２０２−１の上に薄亜鉛薄鉄板１−１と樹脂シート１−２を装着した例である。【００１８】  図３の（２）に示すピツト蓋２００−３は、断面コ型の金属製矩形枠２０１内にキャタピラー型の波プレート２０２−３を配置し、このキャタピラー型の波プレート２０２−３の上に薄亜鉛鉄板１−１と樹脂シート１−２を装着した例である。【００１９】  図３の（３）に示すピツト蓋２００−４は、断面コ型の金属製矩形枠２０１内に台形カーブ型の波プレート２０２−１を配置し、この台形カーブ型の波プレート２０２−１の上にモルタル２−１を介して樹脂タイル２−２を貼り配置した例である。【００２０】  このようにして本考案の配線・配管ピット構造は、主にピツト蓋を今までの概念を打破した画期的な軽量化と更に高強度化に成功し、しかも製作を簡易にしたものである。
このため従来から難点とされていた配線・配管ピットのピット蓋の製作の効率化を実現し、及び施工作業を大幅に軽減する等その高効率化を実現した優れたものである。
【産業上の利用可能性】
【００２１】  本考案の配線・配管ピット構造は、前述の優れた作用効果が得られるため、各種の配線・配管ピット製造・施工産業界に貢献すること多大なものがあり産業上の利用可能性は極めて高い。
【符号の説明】
【００２２】  Ｆ：床
１００：配線・配管ピット
２００：ピツト蓋
１０１：段付き開口部
２０１、２０１ａ：金属製矩形枠
２０２、２０２−１〜２０２−３：波プレート
２０３：モルタル充填層
２０４：蓋仕上げ材
【図１】
0003219873.tif 000003
【図２】
0003219873.tif 000004
【図３】
0003219873.tif 000005
【図４】
0003219873.tif 000006